(57)【要約】【課題】真壁造りの住宅における壁の改修を、容易かつ適切になせるようにする。【解決手段】真壁１の室内側Ｉｎにおいて、これを構成する壁部分１２に、この壁部分１２と構造材１０との間の段差１３寸法と略等しい厚さの壁性能向上マット材３を張り込み止着させた後、前記構造材１０及び壁性能向上マット材３の表面上に張り込まれるボード材５によって室内壁面Ｗを形成させる。【選択図】図５
2013023919.tif 000002
【特許請求の範囲】
【請求項１】
真壁の室内側において、これを構成する壁部分に、この壁部分と構造材との間の段差寸法と略等しい厚さの壁性能向上マット材を張り込み止着させた後、
前記構造材及び壁性能向上マット材の表面上に張り込まれるボード材によって室内壁面を形成させることを特徴とする住宅の壁の改修方法。
【請求項２】
壁性能向上マット材の張り込みの後で且つボード材の張り込みの前に、前記壁性能向上マット材の表面上に防湿シートを張り込むことを特徴とする請求項１に記載の住宅の壁の改修方法。
【請求項３】
壁性能向上マット材からなると共に構造材となる柱と間柱との間の寸法と同じ幅寸法の第一マット材と、壁性能向上マット材からなると共に隣り合う前記間柱間の寸法と同じ幅寸法の第二マット材とを個別に用意し、前記柱と間柱との間の壁部分への壁性能向上マット材の張り込みを前記第一マット材により、前記隣り合う間柱間の壁部分への壁性能向上マット材の張り込みを前記第二マット材によりなすことを特徴とする請求項１又は請求項２に記載の住宅の壁の改修方法。
【発明の詳細な説明】
【技術分野】
【０００１】
この発明は、真壁造りの住宅における、この壁の改修方法に関する。
【背景技術】
【０００２】
真壁造りは断熱性、遮音性に乏しいことから、真壁造りの住宅のリフォームにあたっては、これらを向上させる改修が特に求められるところである。かかる真壁の壁下地を撤去して壁厚の厚い大壁化するようにすれば前記断熱性などの向上は可能であるが、簡易にはなし難い改修であり、したがって、リフォームコスト及び工期を過大化させない観点から、より優れた改修方法の提案が望まれるところであった。
【発明の概要】
【発明が解決しようとする課題】
【０００３】
この発明が解決しようとする主たる問題点は、真壁造りの住宅における壁の改修を、容易かつ適切になせるようにする点にある。
【課題を解決するための手段】
【０００４】
前記課題を達成するために、この発明にあっては、住宅の壁の改修方法を、真壁の室内側において、これを構成する壁部分に、この壁部分と構造材との間の段差寸法と略等しい厚さの壁性能向上マット材を張り込み止着させた後、
前記構造材及び壁性能向上マット材の表面上に張り込まれるボード材によって室内壁面を形成させるものとした。
【発明の効果】
【０００５】
この発明によれば、真壁造りの住宅における壁の改修を、既存の真壁を残存させた状態でなすことができることから、リフォームコスト及び工期を過大としないように容易になすことができる。また、壁性能向上マット材は、真壁を構成する壁部分と構造材との間の段差を利用して張り込まれることから、居住空間を徒に減ずることなく住宅の壁の断熱性能や遮音性能などを適切に向上させることができる。
【図面の簡単な説明】
【０００６】
【図１】図１は実施の形態にかかる真壁の横断面構成図である。
【図２】図２は図１の真壁の室内側に胴縁を配設した状態を示した正面構成図である。
【図３】図３は図２の状態の横断面構成図である。
【図４】図４は図２の状態から真壁の室内側に壁性能向上マット材及びボード材を張り込んだ状態を示した横断面構成図である。
【図５】図５は図４の要部を拡大して示した横断面構成図である。
【発明を実施するための形態】
【０００７】
以下、図１〜図５に基づいて、この発明の典型的な実施の形態について、説明する。この実施の形態にかかる改修方法は、真壁造りの住宅のリフォーム工事において、この住宅の壁（壁体）の主として性能を向上させるために利用されるものである。かかる改修方法は、既存の真壁１を残存させた状態で、住宅の壁の断熱性能や遮音性能などを向上させるものであり、リフォームコストの低廉化及び工期の最短化に資するものである。かかるリフォームコストの低廉化及び工期の最短化の観点からは、かかる改修は、居住空間を仕切る住宅内部の壁を除外して、住宅の外郭を構成する壁に限ってなすようにすることが好適となる。また、条件によっては、かかる改修は、住宅の特定の部屋（例えば、居住者の利用頻度が最も高い部屋や、居住者が楽器を演奏する部屋など）を巡る壁に限って、なすようにすることが好適となる。
【０００８】
図１及び図２に改修前の真壁１の一例を示す。図中符号１０ａは構造材１０としての柱であり、符号１１は間柱であり、符号１２は室内壁面の大部分を構成する壁部分である。真壁１の室外側Ｅｘには、必要に応じて、外壁材２が張り込まれる。
【０００９】
この実施の形態にかかる改修方法は、このように構成される真壁１の室内側Ｉｎにおいて、これを構成する壁部分１２に、この壁部分１２と構造材１０との間の段差１３（チリ）寸法と略等しい厚さの壁性能向上マット材３を張り込み止着させた後、前記構造材１０及び壁性能向上マット材３の表面上に張り込まれるボード材５によって室内壁面Ｗを形成させるものである。典型的には、前記段差１３の寸法は２０ｍｍ前後であり、したがって前記張り込みには厚さを２０ｍｍ前後とする壁性能向上マット材３が用いられる。壁性能向上マット材３としては、典型的には、断熱性能、防音性能、あるいはこれらの双方の性能を備えたものを用いる。かかる壁性能向上マット材３は、典型的には、不織布や、発泡プラスチック製のマットなどから構成される。
【００１０】
かかる壁性能向上マット材３の張り込みの前には、間柱１１の配設位置と同じ位置に、上下の横架材１０ｂ、１０ｃ間に亘る胴縁４を配設させておくことが好適である。かかる胴縁４を構成する板材も、前記壁部分１２と構造材１０との間の段差１３寸法と略等しい板厚のものとしておく。かかる胴縁４は間柱１１に釘やビスによって止着される。
【００１１】
壁性能向上マット材３は、真壁１を構成する柱と間柱１１（つまり、前記胴縁４）との間の壁部分１２全体を覆うように、また、間柱１１と間柱１１との間の壁部分１２つまり隣り合う前記胴縁４、４間の壁部分１２全体を覆うように、張り込まれる。典型的には、柱と間柱１１との間の距離は３８０ｍｍであり、隣り合う間柱１１間の距離は４１０ｍｍであり、両者の距離は異なる。したがって、壁性能向上マット材３からなると共に構造材１０となる柱と間柱１１との間の寸法と同じ幅寸法の第一マット材と、壁性能向上マット材３からなると共に隣り合う前記間柱１１間の寸法と同じ幅寸法の第二マット材とを個別に用意し、前記柱と間柱１１との間の壁部分１２への壁性能向上マット材３の張り込みを前記第一マット材により、前記隣り合う間柱１１、１１間の壁部分１２への壁性能向上マット材３の張り込みを前記第二マット材によりなすようにすることが好適である。この場合、前記第一マット材及び第二マット材はロール状にして用意され、その引き出し端（ロールの巻き終わり端）を典型的には壁部分１２と上側の横架材１０ｂの取り合い部分に位置づけた状態から順次引き出して壁部分１２を覆いながら壁部分１２にタッカーなどを用いて止着され、一箇所の壁部分１２を上下方向に亘って覆った位置で切断されて、この切断箇所を壁部分１２と下側の横架材１０ｃの取り合い部分に位置づける。
【００１２】
ボード材５は、石膏ボードや、耐火性能を付加された木質板などから構成される。ボード材５は、構造材１０の室内側Ｉｎに向けられた表面及び壁性能向上マット材３の室内側Ｉｎに向けられた表面を覆うように張り込まれる。このように張り込まれるボード材５によって、真壁１の室内側Ｉｎは大壁状を呈する。典型的には、かかるボード材５の表面にはさらに、化粧シート６が張り込まれる。
【００１３】
壁性能向上マット材３の張り込みの後で且つ前記ボード材５の張り込みの前に、前記壁性能向上マット材３の表面上にポリエチレンシートなどの防湿シート７を張り込むことが好適である。このようにしておけば、居住空間において生じる湿気を壁性能向上マット材３ができるだけ吸収しないようにすることができる。
【００１４】
この実施の形態にかかる改修方法は、既存の真壁１の室内側Ｉｎに壁性能向上マット材３とボード材５を付加するものであることから、作業は簡易且つ容易であり、リフォームコスト及び工期を過大とすることがない。また、壁性能向上マット材３は、真壁１を構成する壁部分１２と構造材１０との間の段差１３を利用して張り込まれることから、部屋や廊下などの居住空間を徒に減ずることもない。
【符号の説明】
【００１５】
Ｉｎ  室内側
１  真壁
１０  構造材
１２  壁部分
１３  段差
３  壁性能向上マット材
５  ボード材
【図１】
2013023919.tif 000003
【図２】
2013023919.tif 000004
【図３】
2013023919.tif 000005
【図４】
2013023919.tif 000006
【図５】
2013023919.tif 000007